(57)【要約】      （修正有）【課題】エアコン内などに配置した紫外線ランプに冷風が当たると紫外線ランプの温度が低下し、紫外線ランプの出力が低下するという問題が生じる。そのため、保温効果の高い紫外線ランプ保護具を提供する。【解決手段】紫外線ランプ保護具１００は、直管型の紫外線ランプ２００を保護するものであって、紫外線ランプを覆う円筒状のカバー本体１１０と、カバー本体を紫外線ランプに固定するために両端に配置される筒キャップ１２０と、を備え、カバー本体の径は、紫外線ランプの径より大きく、筒キャップは円筒形で、カバー本体に装着する側の一方端の径から他方端の径に向かうにつれ細く形成され、段差部１２１を有している。【選択図】図１
0003234240.tif 000002
【実用新案登録請求の範囲】
【請求項１】
直管型の紫外線ランプを保護するものであって、
前記紫外線ランプを覆う円筒状のカバー本体と、
前記カバー本体を前記紫外線ランプに固定するために両端に配置される筒キャップと、を備え、
前記カバー本体の径は、前記紫外線ランプの径より大きく、
前記筒キャップは円筒形で、前記カバー本体に装着する側の一方端の径から他方端の径に向かうにつれ細く形成され、段差部を有していることを特徴とする紫外線ランプ保護具。
【請求項２】
前記カバー本体及び前記筒キャップは、フッ素樹脂で形成されていることを特徴とする請求項１に記載の紫外線ランプ保護具。
【考案の詳細な説明】
【技術分野】
【０００１】
本考案は、紫外線ランプ保護具に関する。
【背景技術】
【０００２】
近年、空気中のウイルスを殺菌するために、エアコン内などに紫外線ランプを配置することが試みられている。具体的には、室内の空気をエアコン内部に取り入れ、取り入れた空気をエアコン内に配置した紫外線ランプで殺菌することが行われている。
【０００３】
しかし、エアコン内などに配置した紫外線ランプに冷風が当たると紫外線ランプの温度が低下し、紫外線ランプの出力が低下するという問題が生じている。これは、紫外線ランプ内の水銀蒸気圧が温度により変化するためである。なお、一般的には、雰囲気温度が２０℃〜２５℃において最大となる。そのため、紫外線ランプを適温で保持することが重要となる。
【０００４】
紫外線ランプを適温で保持する方法として、紫外線ランプにカバーを設けることが考えられる。例えば、特許文献１に記載の蛍光灯管保護具を使用することが考えられる。
【先行技術文献】
【特許文献】
【０００５】
【特許文献１】特開２００７−１２８８４３号公報
【考案の概要】
【考案が解決しようとする課題】
【０００６】
しかしながら、特許文献１に記載の蛍光灯管保護具を紫外線ランプに適用しても紫外線ランプを適温で保持することができない。これは、特許文献１に記載のカバー本体が管と密着して形成されるためである。管とカバー本体とが密着していると、冷風が当たったとき、冷風の影響を受けやすく、管の温度を維持できないという問題が生じる。なお、カバー本体が管に密着するのは、カバー本体が筒状にヒートセットされているためである。
【０００７】
それ故に、本考案は、上記のような課題に鑑みてなされたものであって、本考案の目的の１つは、保温効果の高い紫外線ランプ保護具を提供することである。
【課題を解決するための手段】
【０００８】
上記目的を達成するために、本考案は、少なくとも以下のような構成を備え、もしくは手順を実行する。なお、以下の説明において、本考案の理解を容易にするために図面に示されている符号等を付記する場合があるが、本考案の各構成要素は、図面に示されているものに限定されるものではなく、当業者が技術的に理解しうる範囲にまで広く解釈されるべきものである。
【０００９】
本考案の一局面に係る紫外線ランプ保護具は、直管型の紫外線ランプを保護するものであって、前記紫外線ランプを覆う円筒状のカバー本体と、前記カバー本体を前記紫外線ランプに固定するために両端に配置される筒キャップと、を備え、前記カバー本体の径は、前記紫外線ランプの径より大きく、前記筒キャップは円筒形で、前記カバー本体に装着する側の一方端の径から他方端の径に向かうにつれ細く形成され、段差部を有していることを特徴とする。
かかる構成により、本考案の一局面に係る紫外線ランプ保護具は、紫外線ランプに冷風が当たったとしても適温を保持することができる。これは、紫外線ランプとカバー本体との間に隙間である空気層を有しているためである。
【００１０】
また、好ましくは、前記カバー本体及び前記筒キャップは、フッ素樹脂で形成されていることを特徴とする。
かかる構成により、紫外線ランプ保護具の劣化を防ぐことができる。一般的に紫外線は樹脂を劣化させるが、フッ素樹脂は耐候性に優れているため、劣化を防ぐことができる。
【考案の効果】
【００１１】
以上のように、本考案によれば、紫外線ランプに冷風が当たったとしても適温を保持することができる。
【図面の簡単な説明】
【００１２】
【図１】本考案の一実施形態に係る紫外線ランプ保護具及び紫外線ランプを示す図である。
【図２】本考案の一実施形態に係る紫外線ランプ保護具を紫外線ランプに装着した状態を示す図である。
【図３】本考案の一実施形態に係る紫外線ランプ保護具を装着した紫外線ランプの断面を示す図である。
【考案を実施するための形態】
【００１３】
以下、本考案の一実施形態について、図面を参照しながら具体的に説明する。なお、以下で説明する実施形態は、あくまで、本考案を実施するための具体的な一例を挙げるものであって、本考案を限定的に解釈させるものではない。
【００１４】
図１は、本考案の一実施形態に係る紫外線ランプ保護具１００及び紫外線ランプ２００を示す図であり、図２は、本考案の一実施形態に係る紫外線ランプ保護具１００を紫外線ランプ２００に装着した状態を示す図である。紫外線ランプ保護具１００は、直管型の紫外線ランプ２００を保護するものであって、紫外線ランプ２００を覆う円筒状のカバー本体１１０と、カバー本体１１０を紫外線ランプ２００に固定するために両端に配置される筒キャップ１２０と、を備えている。また、カバー本体１１０の径は、紫外線ランプ２００の径より大きい。また、筒キャップ１２０は円筒形で、カバー本体１１０に装着する側の一方端の径から他方端の径に向かうにつれ細く形成され、段差部１２１を有している。なお、紫外線ランプ２００は、直管型のものである。
【００１５】
カバー本体１１０は、フッ素樹脂で形成されており、円筒形をしている。フッ素樹脂で形成されているため、紫外線ランプ２００から照射される紫外線に対しても劣化しにくくなっている。また、カバー本体１１０の径は紫外線ランプ２００より大きく形成されている。そのため、紫外線ランプ２００に装着した場合、カバー本体１１０と紫外線ランプ２００との間に隙間（空気層）が生じる。これによって、冷風が当たった場合でも、紫外線ランプ２００の温度を保持することができる。
【００１６】
なお、カバー本体１１０は、紫外線ランプ２００が破損した場合におけるガラス片の飛散の防止も目的としており、万が一、紫外線ランプ２００が破損してもガラス片などの飛散を防止することができる。また、カバー本体１１０は、光透過性に優れており、紫外線ランプ２００から照射された光（紫外線）の放射を妨げない。
【００１７】
筒キャップ１２０は、フッ素樹脂で形成されており、円筒形をしている。フッ素樹脂で形成されているため、紫外線ランプ２００から照射される紫外線に対しても劣化しにくくなっている。筒キャップ１２０は、カバー本体１１０に嵌めるため、筒キャップ１２０の一方端の径は、カバー本体１１０より大きく形成されているが、筒キャップ１２０の他方端に向かうにつれ、細く形成されている。この構造によって、紫外線ランプ保護具１００を紫外線ランプ２００に固定することができる。また、筒キャップ１２０は、段差部１２１を有しており、その段差部１２１が紫外線ランプ２００の出っ張り部分などに嵌るため、より確実に紫外線ランプ２００を紫外線ランプ保護具１００に固定している。
【００１８】
紫外線ランプ２００は、直管型の紫外線ランプ２００である。なお、紫外線ランプ２００は、市販品を使用している。
【００１９】
図３は、本考案の一実施形態に係る紫外線ランプ保護具１００を装着した紫外線ランプ２００の断面を示す図である。紫外線ランプ２００とカバー本体１１０との間にはわずかな隙間が設けられており、その隙間部分が空気層となって保温効果を発揮する。筒キャップ１２０は紫外線ランプ２００の端部分である口金の部分に嵌っており、紫外線ランプ２００と紫外線ランプ保護具１００とを固定している。また、筒キャップ１２０の段差部１２１が紫外線ランプ２００の出っ張り部分にきっちり嵌るように構成されているため、より確実に紫外線ランプ２００を紫外線ランプ保護具１００に固定している。
【００２０】
以上、本考案の一実施形態についての具体的な説明を行った。上記説明は、あくまで一実施形態としての説明であって、本考案の範囲はこの一実施形態に留まらず、当業者が把握可能な範囲にまで広く解釈されるものである。
【産業上の利用可能性】
【００２１】
本考案は、直管型の紫外線ランプ等に利用可能であって、特に、紫外線ランプに冷風が当たるような場所で使用する際に有用である。
【符号の説明】
【００２２】
１００  紫外線ランプ保護具
１１０  カバー本体
１２０  筒キャップ
１２１  段差部
【図１】
0003234240.tif 000003
【図２】
0003234240.tif 000004
【図３】
0003234240.tif 000005